(57)【特許請求の範囲】
【請求項１】
人が着座する座部と、
前記座部に対して傾倒自在に繋がって形成されて前記座部に着座した人の少なくとも腰部に対向配置される背当て部と、
前記座部および前記背当て部にそれぞれ繋がって形成されて前記座部に着座した人の腰部の両側部にそれぞれ対向配置される２つの腰側当て部とを備え、
前記２つの腰側当て部は、
同各腰側当て部を前記座部に隣接する座部側部と前記背当て部に隣接する背当て側部とに分けて折れ易くする折り目をそれぞれ有することにより前記背当て部を前記座部側に傾倒させて前記背当て部と前記座部とを２つ折りに折り畳むまたは前記背当て部を前記座部に対して傾斜するようにしたことを特徴とする腰部包囲座布団。
【請求項２】
請求項１に記載した腰部包囲座布団において、
前記腰側当て部は、
前記折り目が縫い目で形成されていることを特徴とする腰部包囲座布団。
【請求項３】
請求項１または請求項２に記載した腰部包囲座布団において、
前記座部と前記２つの腰側当て部における前記各座部側部とは、表面および裏面をそれぞれ構成する表裏一対の生地によって一体的に形成されており、
前記背当て部と前記２つの腰側当て部における前記各背当て側部とは、表面および裏面をそれぞれ構成する表裏一対の生地で一体的に形成されており、
前記一体的に形成された前記座部および前記２つの腰側当て部における前記各座部側部と前記一体的に形成された前記背当て部と前記２つの腰側当て部における前記各背当て側部とは、互いに縫合されて繋がっていることを特徴とする腰部包囲座布団。
【請求項４】
請求項１ないし請求項３のうちのいずれか１つに記載した腰部包囲座布団において、
前記座部および前記２つの腰側当て部における前記各座部側部と前記背当て部および前記２つの腰側当て部における前記各背当て側部とは、互いに対称な形状に形成されていることを特徴とする腰部包囲座布団。
【請求項５】
請求項１ないし請求項４のうちのいずれか１つに記載した腰部包囲座布団において、
前記座部または前記背当て部の裏面には、幅方向に沿って伸縮自在なバンドが設けられていることを特徴とする腰部包囲座布団。
【請求項６】
請求項１ないし請求項５のうちのいずれか１つに記載した腰部包囲座布団において、
前記座部および前記背当て部の各先端部には、同各先端部を互いに着脱自在に留めるための留め具が形成されていることを特徴とする腰部包囲座布団。
【発明の詳細な説明】
【技術分野】
【０００１】
本発明は、着座した人の臀部とともに腰部をも保温することができる腰部包囲座布団に関する。
【背景技術】
【０００２】
従来から、着座した人の臀部とともに腰部をも保温することができる腰部包囲座布団が提案されている。例えば、下記特許文献１，２には、人が着座する座部の後端部および左右側端部に前記着座した人の腰に対向するように背当て部および腰側当て部がそれぞれ起立した状態で設けられた腰部包囲座布団がそれぞれ開示されている。
【先行技術文献】
【特許文献】
【０００３】
【特許文献１】特開平０９−２７１４２８号公報
【特許文献２】特開２００７−３３０６５５号公報
【０００４】
しかしながら、上記特許文献１，２にそれぞれ記載された腰部包囲座布団においては、持ち運びや収納が行ない難いとともに背当て部の腰部へのフィット性が悪く保温性が低いという問題があった。すなわち、上記特許文献１に記載された腰部包囲座布団においては、腰部包囲座布団の形状が不変で折り畳むことなどができないため持ち運びや収納が行ない難いという問題がある。また、上記特許文献２に記載された腰部包囲座布団においては、腰部包囲座布団の全体が平面形状に展開可能であるが平面形状では持ち運びが行ない難いとともに収納場所も限られるという問題もある。さらに、また、上記特許文献１，２にそれぞれ記載された腰部包囲座布団においては、背当て部が略自立しているため腰部との密着性が悪く保温性が低いという問題があった。
【発明の概要】
【０００５】
本発明は上記問題に対処するためなされたもので、その目的は、持ち運びや収納が行い易いとともに背当て部の腰部へのフィット性が良く保温性が高い腰部包囲座布団を提供することにある。
【０００６】
上記目的を達成するため、本発明の特徴は、人が着座する座部と、座部に対して傾倒自在に繋がって形成されて座部に着座した人の少なくとも腰部に対向配置される背当て部と、座部および背当て部にそれぞれ繋がって形成されて座部に着座した人の腰部の両側部にそれぞれ対向配置される２つの腰側当て部とを備え、２つの腰側当て部は、同各腰側当て部を座部に隣接する座部側部と背当て部に隣接する背当て側部とに分けて折れ易くする折り目をそれぞれ有することにより背当て部を座部側に傾倒させて背当て部と座部とを２つ折りに折り畳むまたは背当て部を座部に対して傾斜するようにしたことにある。
【０００７】
このように構成した本発明の特徴によれば、腰部包囲座布団は、着座する人の腰部に対向配置される背当て部が座部に対して傾倒自在に設けられるとともに、この背当て部と座部とを繋ぐ腰側当て部が座部に隣接する座部側部と背当て部に隣接する背当て側部とに分ける折り目を有して構成されている。これにより、腰部包囲座布団は、背当て部が腰側当て部の折り目によって座部に対して容易に傾倒して２つ折りに折り畳まれるため、持ち運びや収納が行い易くなる。また、腰部包囲座布団は、背当て部が腰側当て部の折り目によって座部側に傾斜した状態となるため、背当て部が腰部にフィットし易くなって保温性が向上する。
【０００８】
また、本発明の他の特徴は、前記腰部包囲座布団において、腰側当て部は、折り目が縫い目で形成されていることにある。
【０００９】
このように構成した本発明の他の特徴によれば、腰部包囲座布団は、折り目が縫い目で構成されているため、折り癖で構成する場合に比べてより折り易い折り目を構成することができる。
【００１０】
また、本発明の他の特徴は、前記腰部包囲座布団において、座部と前記２つの腰側当て部における各座部側部とは、表面および裏面をそれぞれ構成する表裏一対の生地によって一体的に形成されており、背当て部と前記２つの腰側当て部における各背当て側部とは、表面および裏面をそれぞれ構成する表裏一対の生地で一体的に形成されており、一体的に形成された座部および前記２つの腰側当て部における各座部側部と一体的に形成された背当て部と前記２つの腰側当て部における各背当て側部とは、互いに縫合されて繋がっていることにある。
【００１１】
このように構成した本発明の他の特徴によれば、腰部包囲座布団は、表裏一対の生地によって一体的に形成された座部および各座部側部と表裏一対の生地によって一体的に形成された背当て部と背当て側部とが互いに縫合されて構成されているため、低コストかつ効率的に製造することができる。
【００１２】
また、本発明の他の特徴は、前記腰部包囲座布団において、座部および前記２つの腰側当て部における各座部側部と背当て部および前記２つの腰側当て部における各背当て側部とは、互いに対称な形状に形成されていることにある。
【００１３】
このように構成した本発明の他の特徴によれば、腰部包囲座布団は、座部および各座部側部と背当て部および各背当て側部とが互いに対称な形状、すなわち、腰部包囲座布団が座部側と背当て部側とで対称に形成されているため、きれいに２つ折りに折り畳むことができるとともに、座部を背当て部として背当て部を座部として相互に兼用して使用することができる。
【００１４】
また、本発明の他の特徴は、前記腰部包囲座布団において、座部または背当て部の裏面には、幅方向に沿って伸縮自在なバンドが設けられていることにある。
【００１５】
このように構成した本発明の他の特徴によれば、腰部包囲座布団は、座部または背当て部の裏面に幅方向に沿って伸縮自在なバンドが設けられているため、座部と背当て部とを二つ折りにした際にこれらをバンドで開かないように固定でき、持ち運びおよび収容を容易にすることができる。また、腰部包囲座布団は、バンドを座部に設けた場合においては座部をバンドを用いて椅子の座部に固定できるとともに、バンドを背当て部に設けた場合においては背当て部を椅子の背もたれに固定して使用者への傾倒を規制することにより保温性を調節することもできる。
【００１６】
また、本発明の他の特徴は、腰部包囲座布団において、座部および背当て部の各先端部には、同各先端部を互いに着脱自在に留めるための留め具が形成されていることにある。
【００１７】
このように構成した本発明の他の特徴によれば、腰部包囲座布団は、座部および背当て部の各先端部に同各先端部を互いに着脱自在に留めるための留め具が形成されているため、座部と背当て部とを二つ折りにした際にこれらを留め具で開かないように固定でき、持ち運びおよび収容を容易にすることができる。なお、この場合、背当て部の先端部にボタンを設けるとともに、座部の先端部にボタンを引っ掛けるためのリングを設けて留め具を構成することができる。この場合、リングを紐体などの柔軟で変形可能な素材で構成することにより、座部に着座した際の異物感を軽減することができる。
【図面の簡単な説明】
【００１８】
【図１】本発明の一実施形態に係る腰部包囲座布団の外観構成の概略を示す斜視図である。
【図２】図１に示した腰部包囲座布団の外観構成の概略を示す背面図である。
【図３】図１に示した腰部包囲座布団を椅子上にセットした使用状態を示した斜視図である。
【図４】図１に示した腰部包囲座布団の折り畳んだ状態を示した斜視図である。
【発明を実施するための形態】
【００１９】
以下、本発明に係る腰部包囲座布団の一実施形態について図面を参照しながら説明する。図１は、本発明に係る腰部包囲座布団１００の外観構成の概略を示す斜視図である。また、図２は、図１に示した腰部包囲座布団１００の外観構成の概略を示す背面図である。また、図３は、図１に示した腰部包囲座布団１００を椅子上にセットした使用状態を示した斜視図である。この腰部包囲座布団１００は、使用者Ｕが床や椅子に着座する際に臀部の下に敷いて使用する敷物である。
【００２０】
（腰部包囲座布団１００の構成）
腰部包囲座布団１００は、座部１０１を備えている。座部１０１は、使用者Ｕが着座する部分であり、使用者Ｕの臀部および臀部に繋がる大腿部の一部を載置可能な大きさの平面状に形成されている。本実施形態においては、座部１０１は、平面視で４つの辺のうち３辺が直線でそれぞれ構成されるとともに他の１辺が凸状の円弧で構成された平面視で四辺形に形成されている。この座部１０１は、シープ調のボア生地からなる表生地と起毛処理された裏生地との間にポリエステル製の綿を詰めて構成されている。
【００２１】
座部１０１の後端部には、背当て部１０２が設けられている。背当て部１０２は、使用者Ｕが座部１０１上に着座した際に使用者Ｕの腰部に面する部分であり、少なくとも同腰部を覆うことができる大きさの平面状に形成されている。本実施形態においては、背当て部１０２は、前記座部１０１と同じ大きさおよび形状の四辺形に形成されている。この背当て部１０２は、座部１０１と同様に、シープ調のボア生地からなる表生地と起毛処理された裏生地との間にポリエステル製の綿を詰めて構成されている。
【００２２】
座部１０１と背当て部１０２との間には、腰側当て部１０３が設けられている。腰側当て部１０３は、使用者Ｕが座部１０１上に着座した際に使用者Ｕの腰部の両側部に面する部分であり、少なくとも同腰部の両側部を覆うことができる大きさの平面状に形成されている。本実施形態においては、２つの腰側当て部１０３は、それぞれ座部１０１の両側部と背当て部１０２の両側部とを繋ぐ側面視で略三角形状に形成されている。
【００２３】
これらの各腰側当て部１０３は、座部１０１側と背当て部１０２側との間で腰側当て部１０３を二等分する折り目１０３ａが形成されており、この折り目１０３ａを境として座部１０１に隣接する座部側部１０３ｂと背当て部１０２に隣接する背当て側部１０３ｃとで構成されている。この腰側当て部１０３は、座部１０１および背当て部１０２と同様に、シープ調のボア生地からなる表生地と起毛処理された裏生地との間にポリエステル製の綿を詰めて構成されている。
【００２４】
この場合、本実施形態においては、座部側部１０３ｂは座部１０１を構成する表生地および裏生地が延びて構成されており、背当て側部１０３ｃは背当て部１０２を構成する表生地および裏生地が延びて構成されている。すなわち、本実施形態においては、腰部包囲座布団１００は、座部１０１とこの座部１０１の両側に設けられる２つの座部側部１０３ｂとが表面および裏面をそれぞれ構成する表裏一対の生地によって一体的に形成されているとともに、背当て部１０２とこの背当て部１０２の両側に設けられる２つの背当て側部１０２ｃとが表面および裏面をそれぞれ構成する表裏一対の生地によって一体的に形成されている。
【００２５】
この場合、座部１０１と２つの座部側部１０３ｂ、および背当て部１０２と２つの背当て側部１０３ｃは、各境界部分にそれぞれキルティング加工が施されており内部空間が仕切られて折り畳みが容易となっている。また、一体的に形成された座部１０１および２つの座部側部１０３ｂと一体的に形成された背当て部１０２および２つの背当て側部１０３ｃとは、互いに同じ大きさの同じ形状に形成されている。
【００２６】
そして、これらの一体的に形成した座部１０１および２つの座部側部１０３ｂと一体的に形成した背当て部１０２および２つの背当て側部１０３ｃとを互いに縫合して腰部包囲座布団１００が一体的に構成されている。すなわち、座部１０１と背当て部１０２とは縫合によって連結されており、背当て部１０２は座部１０１に対して傾倒可能に形成されている。また、折り目１０３ａは、座部側部１０３ｂと背当て側部１０３ｃとを互いに縫合した縫い目で構成されている。
【００２７】
また、この腰部包囲座布団１００には、背当て部１０２の背面にバンド１０４が設けられている。バンド１０４は、主として、背当て部１０２を椅子の背もたれに固定するための部材であり、伸縮自在な材料（例えば、帯状のゴム紐）で構成されている。このバンド１０４は、背当て部１０２の背面先端部（図示上部）における幅方向に延びて設けられている。なお、このバンド１０４は、後述する留め具１０５に代えてまたは加えて背当て部１０２を座部１０１に傾倒して折り畳んだ状態を維持する際に用いることもできる。
【００２８】
また、座部１０１および背当て部１０２の各先端部には、留め具１０５が設けられている。留め具１０５は、背当て部１０２を座部１０１に傾倒して折り畳んだ状態を維持するための部材であり、背当て部１０２の先端部に取り付けられた円盤状のボタン１０５ａと座部１０１の先端部に取り付けられたゴム紐からなるループ１０５ｂとで構成されている。
【００２９】
（腰部包囲座布団１００の作動）
次に、上記のように構成した腰部包囲座布団１００の作動について説明する。この腰部包囲布団１００は、使用者Ｕが床や椅子に着座する際に臀部の下に敷いて用いられる。まず、使用者Ｕは、着座する床や椅子上に腰部包囲座布団１００をセットする。具体的には、使用者Ｕは、座部１０１を着座位置に配置する。この場合、背当て部１０２は座部１０１に対して傾倒自在に形成されているため、自立することもあるが自立せずに座部１０１上に傾倒することもある。
【００３０】
次に、使用者Ｕは、腰部包囲座布団１００上に着座する。この場合、使用者Ｕは、座部１０１上に背当て部１０２が傾倒している場合には、背当て部１０２を手で起立させた後に着座する。これにより、使用者Ｕは、臀部、臀部に繋がる大腿部の一部、腰部、腰部側部が座部１０１、背当て部１０２および腰側当て部１０３で覆われた状態で着座することができる。この場合、腰部包囲座布団１００は、背当て部１０２が座部１０１に対して傾倒自在に形成されているとともに腰側当て部１０３に形成された折り目１０３ａによって使用者Ｕの腰部側に傾倒して背当て部１０２が使用者Ｕの腰部に接するため、使用者Ｕの腰部と背当て部１０２との間に隙間が生じることを防止して保温性が確保される。
【００３１】
また、使用者Ｕは、背当て部１０２による保温力を抑えたい場合には、背当て部１０２の背面に設けられたバンド１０４を椅子の背もたれに掛けて使用者Ｕ側への傾倒を防止することができる。これにより、使用者Ｕは、腰部と背当て部１０２との間に隙間が生じるため背当て部１０２による保温力を抑えることができる。
【００３２】
次に、腰部包囲座布団１００の使用を終える場合には、使用者Ｕは、座部１０１上から起立する。この場合、使用者Ｕは、バンド１０４を椅子の背もたれに掛けている場合には、このバンド１０４を背もたれから外す。これにより、腰部包囲座布団１００は、背当て部１０２が座部１０１側に傾倒する。次いで、使用者Ｕは、腰部包囲座布団１００を折り畳む。具体的には、使用者Ｕは、背当て部１０２を座部１０１上に傾倒させて折り畳む。この場合、使用者Ｕは、腰側当て部１０３の折り目１０３ａを座部１０１および背当て部１０２側から見て山折りして座部１０１と背当て部１０２との間に挟み入れる。
【００３３】
そして、使用者Ｕは、図４に示すように、互いに隣接し合う座部１０１と背当て部１０２とを留め具１０５によって繋ぐ。具体的には、使用者Ｕは、背当て部１０２の先端部に設けられたボタン１０５ａを座部１０１の先端部に設けられたループ１０５ｂに掛ける。これにより、腰部包囲座布団１００は、座部１０１と背当て部１０２とが連結されて開かない状態で折り畳まれる。したがって、使用者Ｕは、折り畳まれた状態の腰部包囲座布団１００を持ち運んで収納することができる。
【００３４】
この場合、腰部包囲座布団１００は、背当て部１０２が座部１０１に対して傾倒自在に形成されているとともに腰側当て部１０３に折り目１０３ａが形成されているため、容易に折り畳まれるとともに折り畳まれた状態を維持することができる。なお、使用者Ｕは、腰部包囲座布団１００を折り畳む際、折り目１０３ａを谷折りすることにより、腰側当て部１０３を座部１０１および背当て部１０２の外側に露出させた状態で折り畳むこともできる。また、使用者Ｕは、留め具１０５に代えてまたは加えてバンド１０４を座部１０１に掛けて腰部包囲座布団１００を折り畳むこともできる。図４においては、座部１０１と背当て部１０２とを留め具１０５およびバンド１０４によって連結した状態を示している。
【００３５】
上記作動説明からも理解できるように、上記実施形態によれば、腰部包囲座布団１００は、着座する使用者Ｕの腰部に対向配置される背当て部１０２が座部１０１に対して傾倒自在に設けられるとともに、この背当て部１０２と座部１０１とを繋ぐ腰側当て部１０３が座部１０１に隣接する座部側部１０３ｂと背当て部１０２に隣接する背当て側部１０３ｃとに分ける折り目１０３ａを有して構成されている。これにより、腰部包囲座布団１００は、背当て部１０２が腰側当て部１０３の折り目１０３ａによって座部１０１に対して容易に傾倒して２つ折りに折り畳まれるため、持ち運びや収納が行い易くなる。また、腰部包囲座布団１００は、背当て部１０２が腰側当て部１０３の折り目１０３ａによって座部１０１側に傾斜した状態となるため、背当て部１０２が腰部にフィットし易くなって保温性が向上する。
【００３６】
さらに、本発明の実施にあたっては、上記実施形態に限定されるものではなく、本発明の目的を逸脱しない限りにおいて種々の変更が可能である。
【００３７】
例えば、上記実施形態においては、腰側当て部１０３に形成した折り目１０３ａは、縫い目で構成した。しかし、折り目１０３ａは、背当て部１０２を座部１０１側に引っ張るように（換言すれば、傾倒するように）構成されていれば、必ずしも上記実施形態に限定されるものではない。したがって、折り目１０３ａは、腰側当て部１０３に付けた折り癖であってもよい。
【００３８】
また、上記実施形態においては、腰部包囲座布団１００は、座部１０１および腰側当て部１０３における２つの座部側部１０３ｂの表裏面をそれぞれ１枚の生地で形成するとともに、背当て部１０２および腰側当て部１０３における背当て側部１０３ｃをそれぞれ１枚の生地で形成した。これにより、腰部包囲座布団１００は、材料の使用量を抑えつつ効率的に製造することができる。しかし、腰部包囲座布団１００は、各部をそれぞれ２枚以上の生地を使用して形成できることは当然である。
【００３９】
また、上記実施形態においては、腰部包囲座布団１００は、座部１０１および腰側当て部１０３における２つの座部側部１０３ｂと背当て部１０２および腰側当て部１０３における背当て側部１０３ｃとを互いに対称な形状に形成した。これにより、腰部包囲座布団１００は、材料の使用量を抑えつつ効率的に製造することができる。しかし、腰部包囲座布団１００は、座部１０１および腰側当て部１０３における２つの座部側部１０３ｂと背当て部１０２および腰側当て部１０３における背当て側部１０３ｃとを互いに非対称、すなわち、腰部包囲座布団１００は、座部１０１および腰側当て部１０３に対して背当て部１０２および腰側当て部１０３における背当て側部１０３ｃを大きくまたは小さく形成することもできる。
【００４０】
また、上記実施形態においては、腰部包囲座布団１００は、バンド１０４および留め具１０５を設けて構成した。しかし、腰部包囲座布団１００は、これらのバンド１０４および留め具１０５を省略しても構成することができる。
【符号の説明】
【００４１】
Ｕ…使用者、
１００…腰部包囲座布団、
１０１…座部、１０２…背当て部、１０３…腰側当て部、１０３ａ…折り目、１０３ｂ…座部側部、１０３ｃ…背当て側部、１０４…バンド、１０５…留め具、１０５ａ…ボタン、１０５ｂ…ループ。
【要約】
【課題】持ち運びや収納が行い易いとともに背当て部の腰部へのフィット性が良く保温性が高い腰部包囲座布団を提供する。
【解決手段】腰部包囲座布団１００は、使用者Ｕが着座する座部１０１、使用者Ｕの腰部に対向する背当て部１０２、および座部１０１と背当て部１０２との間に腰側当て部１０３を備えている。背当て部１０２は、座部１０１に対して傾倒自在に連結されている。腰側当て部１０３は、座部１０１に隣接する座部側部１０３ｂと背当て部１０２に隣接する背当て側部１０３ｃとの間に折り目１０３ａが形成されて、背当て部１０２を座部１０１側に傾倒するように構成されている。座部１０１および２つの座部側部１０３ｂと背当て部１０２および２つの背当て側部１０３ｃとは、互いに対称に形成されるとともに互いに縫合によって連結されている。
【選択図】  図１【図１】
0005527703.tif 000002
【図２】
0005527703.tif 000003
【図３】
0005527703.tif 000004
【図４】
0005527703.tif 000005